(57)【要約】【課題】長尺プリントを裁断せずに収納できる長尺写真収納ケースを提供することを課題とする。【解決手段】ケース１０は底部１６上に透明な周壁１２が立設して容器を形成、蓋部１４で上方向を塞ぐ、略円筒形の構成になっている。側壁１２は略円柱状に固定されているが円周方向の一部で途切れており、途切れた部分が高さ方向に渡ってラップしている。このラップ部分が取出し口２２を形成しており、ケース１０内に収納されたロール状の長尺プリント２０を引き出すことができる。蓋部１４の中央には、摘み１８が回動自在に保持されている。引き出したプリントは摘み１８を回動させることによって蓋部１４を開けずにケース１０内に戻せる。【選択図】　図１
2004051189.tif 000002
【特許請求の範囲】
【請求項１】
略円筒型で周壁を高さ方向に渡ってラップさせ内部と外部をつなぐ取出口が形成されたケース本体と、
前記ケース本体の上部開口を閉じる蓋体と、
を備えたことを特徴とする長尺写真収納ケース。
【請求項２】
前記ケース本体の底部中央に回動自在に立設された軸部と、
前記軸部に回転力を付与する付勢手段と、
前記軸部に形成されロール状に巻き取られた長尺写真の端部を係止する係止手段と、
を備えたことを特徴とする請求項１に記載の長尺写真収納ケース。
【請求項３】
前記ケース本体が透明素材または半透明素材で形成されたことを特徴とした請求項１〜２に記載の長尺写真収納ケース。
【請求項４】
前記ケース本体の内周長が長尺写真のインデックスプリント部の長さに応じて決められることを特徴とする請求項３に記載の長尺写真収納ケース。
【発明の詳細な説明】
【０００１】
【発明の属する技術分野】
本発明は長尺写真収納ケースに関するものである。
【０００２】
【従来の技術】
アミューズメント用途などで長尺のプリントを提供する場合、長尺プリントを裁断せずに収納する方法が必要となる。
【０００３】
しかし現在、市販されている写真ケースは図１１（Ａ）のようにコマ毎に裁断されたプリント１０２を収納するアルバム形式の写真ケース１００が一般的であり、長尺プリントに対応した写真収納ケースは提案されていない。
【０００４】
また、撮影したネガの内容を一枚のプリントに焼き付けた所謂インデックスプリントを収納するケースは図１１（Ｂ）のようにネガ１０８とインデックスプリント１１０を収納する、ネガファイル１０６と一体になったアルバム形式のケース１０４が存在するが、長尺プリントに対応した写真収納ケースではない。
【０００５】
【発明が解決しようとする課題】
本発明は上記事実を考慮し、長尺プリントを裁断せずに収納できる長尺写真収納ケースを提供することを課題とする。
【０００６】
【課題を解決するための手段】
請求項１に記載の長尺写真収納ケースは略円筒型で周壁を高さ方向に渡ってラップさせ内部と外部をつなぐ取出口が形成されたケース本体と、前記ケース本体の上部開口を閉じる蓋体と、を備えたことを特徴とする。
【０００７】
上記構成の発明では、長尺写真をロール状に丸めて筒型のケースに収納し、蓋を閉めた状態のままで、周壁が一部分ラップして生じた隙間状の取出口から長尺写真を引き出すことができる。
【０００８】
請求項２に記載の長尺写真収納ケースはケース本体の底部中央に回動自在に立設された軸部と、前記軸部に回転力を付与する付勢手段と、前記軸部に形成されロール状に巻き取られた長尺写真の端部を係止する係止手段と、を備えたことを特徴とする。
【０００９】
上記構成の発明では、軸部にロール状に巻き取られた長尺写真を取出口から引き出すと、長尺写真の端部が軸部に係止されているため軸部が回転し、長尺写真をケース内に引き込む方向に軸部に回転力が付与される。手を離せば軸部が回転力に従って回転し長尺写真をケース内に引き込むので手で巻き取る必要がない。
【００１０】
請求項３に記載の長尺写真収納ケースはケース本体が透明素材または半透明素材で形成されたことを特徴とする。
【００１１】
上記構成の発明では、プリント面を外側にしてロール状に収納した長尺写真の撮影内容をケースから出さずに確認できる。
【００１２】
請求項４に記載の長尺写真収納ケースはケース本体の内周長が長尺写真のインデックスプリント部の長さに応じて決められることを特徴とする。
【００１３】
上記構成の発明では、インデックスプリント部の長さと略同一の内周長をもつケース本体に、プリント面を外側にして最外周にインデックスプリント部が来るようにロール状に長尺写真を収納すれば、ケース外側からインデックスプリントの内容を確認できる。
【００１４】
【発明の実施の形態】
図１には、第１形態に係る長尺写真収納ケースの斜視図が示されている。
【００１５】
図１及び図２に示すように、長尺写真収納ケース１０は円形の底部１６を備えている。底部１６の中心部には筒状の軸部２４を回動自在に立設するための溝３２が設けてあり、軸部２４が溝３２に嵌合し直立した状態で自在に回動する。
【００１６】
また底部には中心部から外周部へ向かう渦状の溝３０が設けられている。この溝３０の形状に従って側壁１２が立設されている。
【００１７】
側壁１２は略円筒状とされているが円周方向の一部で途切れており、途切れた部分が高さ方向に渡ってラップしている。このラップ部分が取出し口２２を形成しており、側壁１２内に収納されるロール状の長尺プリント２０を引き出すことができる。
【００１８】
一方、側壁１２の上部開口を閉じる蓋部１４の中央には、摘み１８が回動自在に保持されている。摘み１８の裏側には挟持部２６が凸設され、軸部２４の上部開口に嵌合する。軸部２４の上部開口にはシャフト２８が設けられ、挟持部２６で挟持される。これにより、摘み１８を摘んで回転させると挟持部２６で挟持されたシャフト２８から軸部２４へ回転方向に力が伝わり、軸部２４を回転させることができる。
【００１９】
軸部２４には長尺プリント２０の後端を固定するためのスリット３４が設けられ、スリット３４には固定を確実にするため爪３６が設けられている。なお、取出し口２２のクリアランスを確実にするため蓋部１４の裏面には取出し口２２の上部へ進入するスペーサー３１が設けられている。
【００２０】
図３を参照して、第１形態に係る長尺写真収納ケース１０の作用を説明する。
【００２１】
底部１６に形成された溝３０により周壁１２が位置決めされ、さらに周壁１２上に蓋部１４が固定される。
【００２２】
軸部２４は底部１６に設けられた溝３２に嵌合してケース１０の中央に回動自在に立設され、上からは摘み１８の挟持部２６によりシャフト２８を挟持されるのでガタつきや転倒の恐れはない。
【００２３】
底部１６の上面１７は、軸２４に巻き取られ、ロール状になった長尺プリント２０の下端と略同一位置にあるので、長尺プリント２０を下から保持することができる。そして長尺プリント２０の先端は取出し口２２から取出されるが、上面１７によって長尺プリント２０が斜めに巻かれてタケノコ状になったり、下端が擦れて傷がついたりする恐れはない。また巻き戻しする時は摘み１８を取出し方向とは反対方向へ回せばよい。
【００２４】
図４には、第２形態に係る長尺写真収納ケースの断面図が示されている。
【００２５】
図４に示すように、底部１５中央には中空構造の軸芯４０が立設され、軸部４２は軸芯４０に回動自在に嵌合している。
【００２６】
底部１５の軸芯４０近くの下面にはフック４６が設けられており、弾性部材４８の一端を係止している。弾性部材４８の他端は軸芯４０の内部を通過し、軸部４２の先端にフック４４で係止される。
【００２７】
これにより底部１５と軸部４２が弾性部材４８を介して結合し、軸部４２を回転させると弾性部材４８の弾性で軸部４２には反対方向すなわち元へ戻す方向へ回転力が付与される。
【００２８】
このため軸部４２に長尺プリントを巻き付けて引き出した場合、軸部４２には巻き戻す方向への回転力が付与される。そこで手を離せば軸部４２の回転力によって、引き出された長尺プリントはケース内に自動的に巻き戻される。
【００２９】
図５には、第３形態に係る長尺写真収納ケース１３の断面図が示されている。
【００３０】
図５に示すように、軸部５４は底部１９の中央に設けられたクラッチ部５０に噛み合っている。　すなわち、図６に示すように、クラッチ部５０の内側には爪部５２が弾性を持って軸部５４と接触する位置に設けられており、軸部５４には爪部５２に対応する位置に凹部５６が設けられている。
【００３１】
凹部５６は一方の側壁が軸部５４の中心から放射方向に設けられているため爪部５２と係合し、他方の側壁は接線方向に近付くようになだらかな曲線を描いているため爪部５２とは係合せずに外側へ押圧する。
【００３２】
すなわち図６上では軸部５４が反時計回りに回転しようとすれば、凹部５６の側壁が爪部５２を外側へ押圧するので爪部５２は弾性により外側へ引込み、軸部５４はクラッチ部５０を共に回転させずに単独で回転する。
【００３３】
クラッチ部５０は底部１９に形成された凹部１７に回転自在に装填されている。またクラッチ部５０は弾性部材４９でフック４６に連結されている。
【００３４】
上記構成により軸部５４が図６上で時計回りに回転しようとすれば、爪部５２は凹部５６に係合し、軸部５４はクラッチ部５０と共に時計回りに回転する。
【００３５】
これにより、軸部５４に巻付けた長尺プリントを引き出す向きの軸部５４の回転すなわち図６上で時計回りの回転ではクラッチ部５０も同時に回転するので、クラッチ部５０には弾性部材４９による反対方向への回転力が付与され、手を離せばクラッチ部５０は引き出されたプリントを巻戻す方向すなわち図６上で反時計回りに回転し、爪部５２が凹部５６に係合するので軸部５４もまた反時計回りに回転し、自動的に長尺プリントを巻戻す。
【００３６】
また、摘み１８を回して軸部５４を、長尺プリントを巻き取る方向すなわち図６上で反時計方向へ回転させてもクラッチ部５０とは係合しないため、クラッチ部５０は回転しないので反対方向への回転力は付与されない。このため、引出し・巻き戻しを繰り返して長尺プリントの巻きが緩み、プリントが完全に巻戻されなくなった場合でも、摘み１８を回して軸部５４を図６上で反時計回りに回転させることで手動で巻戻すことができる。以降は再び自動で巻戻される。
【００３７】
図７には、実施形態に係る長尺写真収納ケースに収納される長尺プリントの斜視図が示されている。
【００３８】
図７（Ａ）に示すように、長尺プリント２０の先端部にインデックスプリント部６０を設ける。図７（Ｂ）に示すように、このインデックスプリント部６０の長さＬはケース１０の内周長さと略同一であり、そのためロール状に巻き取られた長尺プリント２０の外周はインデックスプリント部６０でカバーされ、ケース１０を外から見れば全周に渡ってインデックスプリント部６０が見える。このため、ケース１０に長尺プリント２０を収納した状態で、インデックスプリント部６０に記録されたすべての撮影内容をケース１０の外から確認することができる。
【００３９】
図８には、第５形態に係るプリントの取手７０が示されている。
【００４０】
長尺プリント２０を例えば図４に示すケース１０に巻き込んだ場合、図８（Ａ）に示すように長尺プリント２０の先端に取手７０を装着することで、巻き戻した際に長尺プリント２０の先端までケース１０に入り込み、引き出せなくなる事態を防ぐことができる。
【００４１】
図８（Ｂ）に示すように取手７０は略長方形をしており、長辺の一端には係止部７６が設けられ、他端には複数のピン７２が回転軸７４の回りに回動可能に設けられている。ピン７２の先端は係止部７６に係止され、ピン７２の先端と回転軸７４で長尺プリント２０を挟持する構造となっている。
【００４２】
なお、この取手７０は図９（Ａ）に示すように、折り畳んだ長尺プリント８０の簡易製本に利用することもできる。
【００４３】
図９（Ｂ）に示すように長尺プリント８０を折り畳み、図中に一点鎖線で示した谷折りの部分をピン７２で取手７０に固定すれば、取手７０を背表紙とした本の形状となる。８１、８６の部分は表紙・裏表紙となるので、この２つの幅の合計をインデックスプリントの長さＬとすれば効率よく製本が行なえる。
【００４４】
フィルムの撮影枚数は１３５サイズで最大３６枚、ＡＰＳで最大４０枚なので、１頁当りのコマ数を６コマ程度に設定すれば頁数の増大を抑えられる。図中、８７は糊代、破線は山折り、一点鎖線は谷折りを表す。取手７０を使用して簡易製本したプリント７０の断面図を図１０に示す。図１０のように、折り畳んだ長尺プリント８０の谷折りの部分にピン７２を挟み、そのままピン７２の先端を係止部７６に係止することで、長尺プリント８０は本の形態となる。
【００４５】
また、８２〜８５部分の下端に頁ナンバーを焼き込めるようにすれば更に使い易くなる。
【００４６】
【発明の効果】
本発明は上記構成としたので、長尺プリントを裁断せずに収納できる長尺写真収納ケースを提供することができた。
【図面の簡単な説明】
【図１】本実施形態１に係る長尺写真収納ケースの斜視図である。
【図２】本実施形態１に係る長尺写真収納ケースの分解図である。
【図３】本実施形態１に係る長尺写真収納ケースの断面図である。
【図４】本実施形態２に係る長尺写真収納ケースの断面図である。
【図５】本実施形態３に係る長尺写真収納ケースの断面図である。
【図６】本実施形態３に係る長尺写真収納ケースのクラッチ部拡大断面図である。
【図７】本実施形態に係る長尺写真収納ケース及びプリントの斜視図である。
【図８】本実施形態に係る長尺写真収納ケース用の取手の斜視図である。
【図９】本実施形態に係る長尺写真収納ケース用の取手の応用例を示した斜視図である。
【図１０】本実施形態に係る長尺写真収納ケース用の取手の応用例を示した断面図である。
【図１１】従来の写真収納ケースの斜視図である。
【符号の説明】
１０　　長尺写真収納ケース
１２　　周壁
１４　　蓋部
１６　　底部
１８　　摘み
２０　　長尺プリント
２２　　取出し口
２４　　軸部
２６　　挟持部
２８　　シャフト
３０　　溝
３２　　溝
３４　　スリット
３６　　爪
４０　　軸芯
４２　　軸部
５０　　クラッチ部
５２　　爪部
５４　　軸部
５６　　凹部
６０　　インデックスプリント部
７０　　取手
７２　　ピン
【図１】
2004051189.tif 000003
【図２】
2004051189.tif 000004
【図３】
2004051189.tif 000005
【図４】
2004051189.tif 000006
【図５】
2004051189.tif 000007
【図６】
2004051189.tif 000008
【図７】
2004051189.tif 000009
【図８】
2004051189.tif 000010
【図９】
2004051189.tif 000011
【図１０】
2004051189.tif 000012
【図１１】
2004051189.tif 000013